(57)【要約】【課題】  車両用空気清浄器１に特段ルームランプＲＬのスペースを設けることなく、従来空気清浄器１に必要なスペースのみで済むように空気清浄器１とルームランプＲＬとを一体化させた車両用空気清浄器１を提供する。【解決手段】  メンテナンスカバー２Ｃに光源１０を設けてルームランプＲＬとしている。  これによれば、スペースを有効に活用することで車両用空気清浄器１に特段ルームランプＲＬのスペースを設けることなく、従来空気清浄器１に必要なスペースのみで空気清浄器１とルームランプＲＬとを一体化させることができ、小型化することができる。【選択図】    図２
2007050792.tif 000002
【特許請求の範囲】
【請求項１】
車室内の天井（Ｒ）に装着する車載用空気清浄器であり、
一端に吸込口（３）、他端に吹出口（４）を有する空気通路（Ｋ）を内部に形成したケーシング（２）と、
前記空気通路（Ｋ）の途中に配設されて前記吸込口（３）から前記吹出口（４）へと向かう空気流を発生させる送風手段（５）と、
前記空気通路（Ｋ）の途中に配設されて前記空気通路（Ｋ）を通過する空気を清浄化する空気清浄手段（６、７）と、
前記ケーシング（２）の一部として前記空気清浄手段（６、７）交換時に車室内側に開閉可能なメンテナンスカバー（２Ｃ）とを備えた車両用空気清浄器において、
前記メンテナンスカバー（２Ｃ）に光源（１０）を設けてルームランプ（ＲＬ）としたことを特徴とする車両用空気清浄器。
【請求項２】
前記メンテナンスカバー（２Ｃ）の前記光源（１０）に対応する部分を半透明に形成したことを特徴とする請求項１に記載の車両用空気清浄器。
【請求項３】
前記メンテナンスカバー（２Ｃ）の前記光源（１０）に対応する部分に窪み形状（Ｄ）を形成したことを特徴とする請求項１または請求項２に記載の車両用空気清浄器。
【請求項４】
前記光源（１０）としてＬＥＤ素子（１０）を用いたことを特徴とする請求項１ないし請求項３のうちいずれか１項に記載の車両用空気清浄器。
【請求項５】
車室内の天井（Ｒ）に装着する車載用空気清浄器であり、
一端に吸込口（３）、他端に吹出口（４）を有する空気通路（Ｋ）を内部に形成したケーシング（２）と、
前記空気通路（Ｋ）の途中に配設されて前記吸込口（３）から前記吹出口（４）へと向かう空気流を発生させる送風手段（５）と、
前記空気通路（Ｋ）の途中に配設されて前記空気通路（Ｋ）を通過する空気を清浄化する空気清浄手段（６、７）と、
前記ケーシング（２）の一部として前記空気清浄手段（６、７）交換時などに車室内側に開閉可能なメンテナンスカバー（２Ｃ）とを備えた車両用空気清浄器において、
前記メンテナンスカバー（２Ｃ）の内部空間を小物入れ（Ｋｏ）としたことを特徴とする車両用空気清浄器。
【請求項６】
前記メンテナンスカバー（２Ｃ）の開閉をワンプッシュ開閉としたことを特徴とする請求項１ないし請求項５のうちいずれか１項に記載の車両用空気清浄器。
【請求項７】
前記メンテナンスカバー（２Ｃ）の開閉角度を自在な角度で止められるヒンジとしたことを特徴とする請求項１ないし請求項６のうちいずれか１項に記載の車両用空気清浄器。
【請求項８】
前記光源（１０）の内部側を光の透過しない部材（１１）で覆ったことを特徴とする請求項６または請求項７に記載の車両用空気清浄器。
【発明の詳細な説明】
【技術分野】
【０００１】
本発明は、車室内空気を清浄化する車両用空気清浄器に関するものであり、特にオーバーヘッドタイプ（天井取り付け型）に関するものである。
【背景技術】
【０００２】
従来、車両用空気清浄器を車室内天井に取り付ける際、車室内天井のルームランプを取り外し、その跡地に空気清浄器を取り付けている。
【発明の開示】
【発明が解決しようとする課題】
【０００３】
しかしながら上記の場合、空気清浄器にルームランプの機能を持たせなければならず、少なからずともルームランプの大きさ分は空気清浄器が大きくなっていた。本発明は、上記従来に鑑みて成されたものであり、その目的は、車両用空気清浄器に特段ルームランプのスペースを設けることなく、従来空気清浄器に必要なスペースのみで済むように空気清浄器とルームランプとを一体化させた車両用空気清浄器を提供することにある。
【課題を解決するための手段】
【０００４】
本発明は上記目的を達成するために、請求項１ないし請求項８に記載の技術的手段を採用する。すなわち、請求項１に記載の発明では、車室内の天井（Ｒ）に装着する車載用空気清浄器であり、
一端に吸込口（３）、他端に吹出口（４）を有する空気通路（Ｋ）を内部に形成したケーシング（２）と、
空気通路（Ｋ）の途中に配設されて吸込口（３）から吹出口（４）へと向かう空気流を発生させる送風手段（５）と、
空気通路（Ｋ）の途中に配設されて空気通路（Ｋ）を通過する空気を清浄化する空気清浄手段（６、７）と、
ケーシング（２）の一部として空気清浄手段（６、７）交換時に車室内側に開閉可能なメンテナンスカバー（２Ｃ）とを備えた車両用空気清浄器において、
メンテナンスカバー（２Ｃ）に光源（１０）を設けてルームランプ（ＲＬ）としたことを特徴としている。
【０００５】
この請求項１に記載の発明によれば、スペースを有効に活用することで車両用空気清浄器に特段ルームランプ（ＲＬ）のスペースを設けることなく、従来空気清浄器に必要なスペースのみで空気清浄器とルームランプ（ＲＬ）とを一体化させることができ、小型化することができる。
【０００６】
また、請求項２に記載の発明では、請求項１に記載の車両用空気清浄器において、メンテナンスカバー（２Ｃ）の光源（１０）に対応する部分を半透明に形成したことを特徴としている。この請求項２に記載の発明によれば、車両乗員からは直接光源（１０）が見えないようにすることができるとともに、高級感を演出することができる。
【０００７】
また、請求項３に記載の発明では、請求項１または請求項２に記載の車両用空気清浄器において、メンテナンスカバー（２Ｃ）の光源（１０）に対応する部分に窪み形状（Ｄ）を形成したことを特徴としている。この請求項３に記載の発明によれば、窪み形状（Ｄ）を形成することにより、窪み形状（Ｄ）が凹レンズとなって光をより拡散させて車室内を広範囲に照らすことができるようになる。また、ルームランプ（ＲＬ）のレンズをメンテナンスカバー（２Ｃ）が兼用することで部品点数が減り、コストを抑えることができる。
【０００８】
また、請求項４に記載の発明では、請求項１ないし請求項３のうちいずれか１項に記載の車両用空気清浄器において、光源（１０）としてＬＥＤ素子（１０）を用いたことを特徴としている。この請求項４に記載の発明によれば、体格が小さいので小型に構成できるうえ、低発熱であり、少ない消費電力でも充分な光量を得ることができる。また、多色（例えば三原色）発光のＬＥＤ素子などにすれば、照明する光の色を変化させることもできる。
【０００９】
また、請求項５に記載の発明では、車室内の天井（Ｒ）に装着する車載用空気清浄器であり、
一端に吸込口（３）、他端に吹出口（４）を有する空気通路（Ｋ）を内部に形成したケーシング（２）と、
空気通路（Ｋ）の途中に配設されて吸込口（３）から吹出口（４）へと向かう空気流を発生させる送風手段（５）と、
空気通路（Ｋ）の途中に配設されて空気通路（Ｋ）を通過する空気を清浄化する空気清浄手段（６、７）と、
ケーシング（２）の一部として空気清浄手段（６、７）交換時などに車室内側に開閉可能なメンテナンスカバー（２Ｃ）とを備えた車両用空気清浄器において、
メンテナンスカバー（２Ｃ）の内部空間を小物入れ（Ｋｏ）としたことを特徴としている。この請求項５に記載の発明によれば、スペースを有効に活用することができる。
【００１０】
また、請求項６に記載の発明では、請求項１ないし請求項５のうちいずれか１項に記載の車両用空気清浄器において、メンテナンスカバー（２Ｃ）の開閉をワンプッシュ開閉としたことを特徴としている。この請求項６に記載の発明によれば、ワンプッシュ開閉により高級感を演出することができる。またルームランプ（ＲＬ）とする場合、ワンプッシュ開閉を光源（１０）の点灯スイッチとし、押して開くとルームランプ（ＲＬ）が点灯し、再度押して閉じるとルームランプ（ＲＬ）が消灯するようにしても良い。
【００１１】
また、請求項７に記載の発明では、請求項１ないし請求項６のうちいずれか１項に記載の車両用空気清浄器において、メンテナンスカバー（２Ｃ）の開閉角度を自在な角度で止められるヒンジとしたことを特徴としている。
【００１２】
この請求項７に記載の発明によれば、ルームランプ（ＲＬ）とする場合、照らす方向を自在に可変させることができる。なおこれは、例えば前後方向と左右方向との二方向に回転するヒンジとしても良い。また小物入れ（Ｋｏ）とする場合、一度に開いて中に収容していたものを落下させることなどを防ぐことができる。
【００１３】
また、請求項８に記載の発明では、請求項６または請求項７に記載の車両用空気清浄器において、光源（１０）の内部側を光の透過しない部材（１１）で覆ったことを特徴としている。この請求項８に記載の発明によれば、メンテナンスカバー（２Ｃ）開いたとき、内部側に光が洩れないようにすることができる。ちなみに、上記各手段の括弧内の符号は、後述する実施形態に記載の具体的手段との対応関係を示す一例である。
【発明を実施するための最良の形態】
【００１４】
以下、本発明の実施の形態について図面を用いて詳細に説明する。図１は本発明の第１実施形態（請求項１〜８に対応）における車両用空気清浄器１を斜め下から見た斜視図であり、図２は図１の車両用空気清浄器１を車両の天井Ｒに取り付けた状態での構造を示す垂直断面図である。
【００１５】
本実施形態の車両用空気清浄器１は、オーバーヘッドタイプと称されるタイプのものであり、車室内天井Ｒの略中央、通常ルームランプのあるところに取り付けられている。図１中のＲ１は天井リンフォース、Ｒ２は天井ライニングであり、車両用空気清浄器１は天井リンフォースＲ１にカラーＣを介してスクリュＳで固定したブラケットＲ３に垂下されている。
【００１６】
車両用空気清浄器１のケーシング２は大きく分けて、吹出グリル４を車両前後方向に形成した本体上ケース２Ａと、メンテナンスカバー２Ｃや周縁に吸込口３を形成する吸い込み口カバー２Ｄなどが組み付けられる本体下ケース２Ｂとから構成されている。そして、本実施形態では２箇所あるメンテナンスカバー２Ｃのうち車両後方側のメンテナンスカバー２ＣをルームランプＲＬと兼用しているとともに、車両前方側のメンテナンスカバー２Ｃを小物入れＫｏとしている。
【００１７】
なお、ルームランプＲＬと小物入れＫｏとは対のものではなく、それぞれ必要に応じて設ければ良く、複数であっても良いし、前後の配置もこれに限るものではない。このルームランプＲＬと小物入れＫｏとは本発明の要部であるため、詳細は後述する。そして、本体の下面側には、図示しない空気清浄機能の切り換えスイッチ（オン・オフ、オート・マニュアル、風量のハイ・ロー、イオン発生のオン・オフなど）が配置されている。
【００１８】
また、本体上ケース２Ａと天井ライニングＲ２との間には隙間ケーシング２Ｅを構成しており、本体ケーシング２と天井Ｒとの間に５〜２０ｍｍの隙間Ｇを形成している。これは従来、車両用空気清浄器１を天井Ｒに隙間無く装着させようとすると、ケーシング２の取り付け面を各車種毎の天井曲面に合わせる必要があった。
【００１９】
そのために、ケーシング２が例えば樹脂成形品ならば、入れ子によって形状変更に対応するなどしてコストアップを招いてしまう。しかし、これによれば、車両用空気清浄器１を色々な車種の天井Ｒに取り付けるうえで、天井Ｒとケーシング２との間にあえて隙間Ｇを設けることにより、天井面の曲面の違いを吸収して取り付け汎用性を高めることができ、コストを抑えている。
【００２０】
ケーシング２の内部には、吸込口３から吹出口４に至る空気通路Ｋが形成されると共に、その空気通路Ｋ内に吸込口３から吹出口４へと向かう空気流れを発生させるモータ５ａと遠心多翼ファン５ｂとからなる送風機（送風手段）５が、空気通路Ｋの途中に設置されている。吸込口３は、車両用空気清浄器１の中央下方に設けられ、吸い込み口カバー２Ｄの全周から車室内空気を吸い込むようになっている。また吹出口４は、車両前後方向の側面に設けられ、天井から前後席に向けて清浄空気を吹き出すようになっている。
【００２１】
吸込口３と送風機５との間の上流側空気通路Ｋには、空気清浄手段の一つであり大き目の塵埃を取り除く第１除塵フィルタ６Ａが設けられている。また、送風機５と吹出口４との間の下流側空気通路Ｋには、空気流れに沿って上流から順に、細かい塵埃を取り除く第２除塵フィルタ６Ｂと、もう一つの空気清浄手段として脱臭フィルタ７とが配置されている。
【００２２】
除塵フィルタ６はいずれも直方体の形状をしており、ひだ折りした不織布などから成り、空気中の塵や液状粒子（例えば、ニコチンやタール）などを捕捉して除去するものである。また、脱臭フィルタ７は同じく直方体の形状をしており、ハニカム担体に添着された活性炭より成り、空気中の臭いを除去するものである。この除塵フィルタ６および脱臭フィルタ７は、適当な使用期間（例えば、約半年）後に新しいフィルタに交換する必要があり、メンテナンスカバー２Ｃを開くことにより、このフィルタ交換が簡単に行えるようになっている。
【００２３】
また、本実施形態の車両用空気清浄器１は、空気清浄機能の一つとして清浄空気に除菌イオン、もしくはマイナスイオンを添加する機能を持っている。図２中の８は、除菌イオン、もしくはマイナスイオンを発生させるイオン発生器としてのプラズマクラスタであり、片側の脱臭フィルタ７のスペースに設置できるようになっている。
【００２４】
次に、本発明の要部に関する構成・構造について説明する。図３は、ルームランプＲＬと兼用としたメンテナンスカバー２Ｃの断面詳細図である。メンテナンスカバー２Ｃは光を透過する、例えばポリカーボネートのような樹脂材料で形成され、ワンプッシュで開閉可能な構造となっている。また、開いたメンテナンスカバー２Ｃを支えるヒンジは、自在な開閉角度で止められるヒンジとしている。
【００２５】
内部側の空間には照明用基板９が配置され、その基板上に光源として表面実装タイプの高輝度ＬＥＤ素子１０を複数、等間隔に配置している。図４は、ＬＥＤ素子１０の配置例を示す照明用基板９の平面図である。メンテナンスカバー２Ｃの各ＬＥＤ素子１０に対応する部分は半透明になっており、車両乗員から直接ＬＥＤ素子１０が見えないようになっている。
【００２６】
また、メンテナンスカバー２Ｃ内面側の各ＬＥＤ素子１０に対応する部分はディンプル形状（窪み形状）Ｄが形成されており、このディンプル形状Ｄが凹レンズとなって光をより拡散させて車室内を広範囲に照らすことができるようになっている。基板カバー１１は光を透過しない材質で形成され、裏側に光が洩れないように基板を覆いながら固定している。
【００２７】
図５は、ルームランプＲＬ兼用としたメンテナンスカバー２Ｃを開けた状態の車両用空気清浄器１の垂直断面図である。なお、車両前方側のメンテナンスカバー２Ｃも同様の構造であるが、内部の空間を利用してポケットティッシュ程度が入れられる小物入れＫｏとしたものである。
【００２８】
次に、本実施形態での特徴と、その効果について述べる。まず、メンテナンスカバー２Ｃに光源１０を設けてルームランプＲＬとしている。これによれば、スペースを有効に活用することで車両用空気清浄器に特段ルームランプＲＬのスペースを設けることなく、従来空気清浄器に必要なスペースのみで空気清浄器とルームランプＲＬとを一体化させることができ、小型化することができる。
【００２９】
また、メンテナンスカバー２Ｃの光源１０に対応する部分を半透明に形成している。これによれば、車両乗員からは直接光源１０が見えないようにすることができるとともに、高級感を演出することができる。
【００３０】
また、メンテナンスカバー２Ｃの光源１０に対応する部分にディンプル形状Ｄを形成している。これによれば、ディンプル形状Ｄを形成することにより、ディンプル形状Ｄが凹レンズとなって光をより拡散させて車室内を広範囲に照らすことができるようになる。また、ルームランプＲＬのレンズをメンテナンスカバー２Ｃが兼用することで部品点数が減り、コストを抑えることができる。
【００３１】
また、光源１０としてＬＥＤ素子１０を用いている。これによれば、体格が小さいので小型に構成できるうえ、低発熱であり、少ない消費電力でも充分な光量を得ることができる。また、多色（例えば三原色）発光のＬＥＤ素子などにすれば、照明する光の色を変化させることもできる。
【００３２】
また、メンテナンスカバー２Ｃの内部空間を小物入れＫｏとしている。これによれば、スペースを有効に活用することができる。また、メンテナンスカバー２Ｃの開閉をワンプッシュ開閉としている。これによれば、ワンプッシュ開閉により高級感を演出することができる。またルームランプＲＬとする場合、ワンプッシュ開閉を光源１０の点灯スイッチとし、押して開くとルームランプＲＬが点灯し、再度押して閉じるとルームランプＲＬが消灯するようにしても良い。
【００３３】
また、メンテナンスカバー２Ｃの開閉角度を自在な角度で止められるヒンジとしている。これによれば、ルームランプＲＬとする場合、照らす方向を自在に可変させることができる。なおこれは、例えば前後方向と左右方向との二方向に回転するヒンジとしても良い。また小物入れＫｏとする場合、一度に開いて中に収容していたものを落下させることなどを防ぐことができる。また、光源１０の内部側を光の透過しない基板カバー１１で覆っている。これによれば、メンテナンスカバー２Ｃ開いたとき、内部側に光が洩れないようにすることができる。
【００３４】
（その他の実施形態）
上述の実施形態では、オーバーヘッドタイプの車両用空気清浄器に本発明を適用したが、本発明は上述した実施形態に限定されるものではなく、内部機能品の配置や方式、空気通路の構成については何の限定もない。また、マイナスイオン発生機能は、除塵フィルタ６または脱臭フィルタ７にトルマリンを担持させ、このトルマリンによりマイナスイオンを発生させるものであっても良い。
【００３５】
また、空気清浄器能の一つとして、香りの添加機能を持たせたものであっても良い。また、ＬＥＤ１０を変色可能なものとして、車室内の光の演出として自動で変色するようにしても良い。また、光源に電球を用いて安価に構成しても良いし、その電球に色キャップを被せることで様々な色に対応するようにしても良い。
【図面の簡単な説明】
【００３６】
【図１】本発明の実施形態における車両用空気清浄器１を斜め下から見た斜視図である。
【図２】図１の車両用空気清浄器１を車両の天井に取り付けた状態での構造を示す垂直断面図である。
【図３】ルームランプＲＬと兼用としたメンテナンスカバー２Ｃの断面詳細図である。
【図４】ＬＥＤ素子１０の配置例を示す照明基板９の平面図である。
【図５】ルームランプＲＬ兼用としたメンテナンスカバー２Ｃを開けた状態の車両用空気清浄器１の垂直断面図である。
【符号の説明】
【００３７】
１…車両用空気清浄器
２…ケーシング
２Ｃ…メンテナンスカバー
３…吸込口
４…吹出口
５…送風機（送風手段）
６…除塵フィルタ（空気清浄手段）
７…脱臭フィルタ（空気清浄手段）
１０…光源、ＬＥＤ素子
１１…基板カバー（光の透過しない部材）
Ｄ…ディンプル形状（窪み形状）
Ｋ…空気通路
Ｋｏ…小物入れ
Ｒ…天井
ＲＬ…ルームランプ
【図１】
2007050792.tif 000003
【図２】
2007050792.tif 000004
【図３】
2007050792.tif 000005
【図４】
2007050792.tif 000006
【図５】
2007050792.tif 000007